(57)【要約】　　　（修正有）【課題】安価に製造することができ、しかも、薬剤収容室の内部を汚すことなく製造することができるばかりでなく、分別廃棄というゴミ処理要請にも簡単に応えられる複室容器を提供する。【解決手段】仕切部７で仕切られた複数の収容室３，５を有する複室容器であって、シート材１ａの内のシート材部分１ａ’を水分非透過性或いはガス非透過性又は水分・ガス非透過性のものとして構成し、シート材１ｂの内の、シート材部分１ｂ’を水分透過性或いはガス透過性又は水分・ガス透過性のものとして構成し、第一の収容室３を片側の壁を外側にして二つ折りにし、その二つ折りにすることにより内側に位置する第一の収容室３の他側の壁間に乾燥剤或いは脱酸素剤又は乾燥剤及び脱酸素剤Ｘを挟んで第一の収容室３の周縁部を互いに剥離可能に接合させることにより、第一の収容室３の他側の壁間に乾燥剤或いは脱酸素剤又は乾燥剤及び脱酸素剤Ｘを封入した。【選択図】　図３
2004016318.tif 000002
【特許請求の範囲】
【請求項１】
可撓性シート材にて略扁平状に形成され、薬剤を収容し且つ必要に応じて連通させることができるよう仕切部で仕切られた複数の収容室を有する複室容器であって、前記略扁平状の複室容器の片側を構成しているシート材の内の、少なくとも、前記複数の収容室の内で吸湿性或いは易酸化性の薬剤又は吸湿性と易酸化性との特性を兼ね備えた薬剤を収容した第一の収容室の片側の壁を構成しているシート材部分を水分非透過性或いはガス非透過性又は水分・ガス非透過性のものとして構成し、前記略扁平状の複室容器の他側を構成しているシート材の内の、少なくとも、前記第一の収容室の他側の壁を構成しているシート材部分を水分透過性或いはガス透過性又は水分・ガス透過性のものとして構成し、前記第一の収容室を前記片側の壁を外側にして二つ折りにし、その二つ折りにすることにより内側に位置する前記第一の収容室の前記他側の壁間に乾燥剤或いは脱酸素剤又は乾燥剤及び脱酸素剤を挟んで前記第一の収容室の周縁部を互いに剥離可能に接合させることにより、前記第一の収容室の前記他側の壁間に前記乾燥剤或いは脱酸素剤又は乾燥剤及び脱酸素剤を封入したことを特徴とする複室容器。
【請求項２】
前記第一の収容室の前記片側の壁を構成している前記シート材部分を水分非透過性或いはガス非透過性又は水分・ガス非透過性のフィルムで被覆することにより、前記第一の収容室の前記片側の壁を構成している前記シート材部分を水分非透過性或いはガス非透過性又は水分・ガス非透過性のものとして構成したことを特徴とする、請求項１に記載の複室容器。
【請求項３】
二つ折りにすることにより内側に位置する、前記第一の収容室の前記他側の壁の適宜箇所に、通気手段を設けたことを特徴とする、請求項１又は２に記載の複室容器。
【請求項４】
前記通気手段が、疎水性マイクロポーラスメンブレンであることを特徴とする、請求項３に記載の複室容器。
【請求項５】
前記通気手段が、二つ折りにされた前記第一の収容室の内部側に面するよう前記第一の収容室の前記他側の壁の前記適宜箇所に設けられた親水性マイクロポーラスメンブレンと、二つ折りにされた前記第一の収容室の外部側に面するよう前記第一の収容室の前記他側の壁の前記適宜箇所に設けられた疎水性マイクロポーラスメンブレンとによる二重のメンブレン構造として構成されていることを特徴とする、請求項３に記載の複室容器。
【発明の詳細な説明】
【０００１】
【発明の属する分野】
本発明は、薬液，粉末剤或いは固形剤の如き薬剤を収容し保存する可撓性複室容器の改良に関するもので、詳しくは、容器内に収容した吸湿性薬剤の吸湿，易酸化性薬剤の酸化を防止して安定した状態で該薬剤を収容保存するのに有用な可撓性複室容器に関するものである。
【０００２】
【従来の技術】
従来、この種の複室容器としては、乾燥剤，脱酸素剤を備えることにより、容器内に収容した薬剤の吸湿或いは酸化を防止するようにしたものが提案されている。具体的には、（１）薬剤を収容し水分非透過性および／またはガス非透過性のフィルムで構成された室内に、内部に乾燥剤および／または脱酸素剤を収容し水分透過性および／またはガス透過性のフィルムで構成された小袋を配置したもの（特開平１０−２３６５３８、特開平１０−２３６５４１）や（２）吸湿性および／または易酸化性を有する薬剤を収容した室全体を密封状態に覆う水分非透過性および／またはガス非透過性の外壁と外壁に覆われた前記室を構成する水分透過性および／またはガス透過性の内壁との間の空間部内に乾燥剤および／または脱酸素剤を収容したもの（特許第３０６０１３３号）が提案されている。
【０００３】
【発明が解決しようとする課題】
然しながら、上記（１）の複室容器は、容器本体と別個に形成されて乾燥剤等を収容した小袋を薬剤が収容された室内に配置するというものであるため、その分、部品点数が多くなり且つ製造に手間が掛かるため、製造コストが高くなるという欠点がある。また、室内に薬剤を収容した後に小袋を同室内に配置するというものであるため、小袋を室内に配置する作業中に雑菌等が室内に侵入してしまう可能性がある。更に、乾燥剤等を収容した小袋は取り出し不能に室内に配置されているため、容器使用後に容器本体を破断しなければ乾燥剤等を容器本体より取り出すことができず、ゴミの分別廃棄という昨今のゴミ処理要請に応えるには極めて面倒である。
また、上記（２）の複室容器は、薬剤を収容した室を構成している内壁全体を外壁で被覆することにより空間部を形成し、その空間部内に乾燥剤等を収容するというものであるため、此亦、製造に手間が掛かり、更には、外壁と内壁との間に形成された空間部内に薬剤を封入したものであるため、容器の使用後に乾燥剤等を容器より分別するためには容器を破断しなければならないという煩雑さがある。
【０００４】
本発明は、上述の如き問題点を解消するべく完成されたものであり、極めて簡単な構成で安価に製造することができ、しかも、薬剤収容室の内部を汚すことなく製造することができるばかりでなく、分別廃棄というゴミ処理要請にも簡単に応えられる複室容器を提供することを目的とする。
【０００５】
【課題を解決するための手段】
上述の如き目的を達成する本発明は、可撓性シート材にて略扁平状に形成され、薬剤を収容し且つ必要に応じて連通させることができるよう仕切部で仕切られた複数の収容室を有する複室容器において、前記略扁平状の複室容器の片側を構成しているシート材の内の、少なくとも、前記複数の収容室の内で吸湿性或いは易酸化性の薬剤又は吸湿性と易酸化性との特性を兼ね備えた薬剤を収容した第一の収容室の片側の壁を構成しているシート材部分を水分非透過性或いはガス非透過性又は水分・ガス非透過性のものとして構成し、前記略扁平状の複室容器の他側を構成しているシート材の内の、少なくとも、前記第一の収容室の他側の壁を構成しているシート材部分を水分透過性或いはガス透過性又は水分・ガス透過性のものとして構成し、前記第一の収容室を前記片側の壁を外側にして二つ折りにし、その二つ折りにすることにより内側に位置する前記第一の収容室の前記他側の壁間に乾燥剤或いは脱酸素剤又は乾燥剤及び脱酸素剤を挟んで前記第一の収容室の周縁部を互いに剥離可能に接合させることにより、前記第一の収容室の前記他側の壁間に前記乾燥剤或いは脱酸素剤又は乾燥剤及び脱酸素剤を封入したことを特徴とする。
請求項２に記載の発明は、請求項１に記載の発明において、前記第一の収容室の前記片側の壁を構成している前記シート材部分を水分非透過性或いはガス非透過性又は水分・ガス非透過性のフィルムで被覆することにより、前記第一の収容室の前記片側の壁を構成している前記シート材部分を水分非透過性或いはガス非透過性又は水分・ガス非透過性のものとして構成したことを特徴とする。
請求項３に記載の発明は、請求項１又は２に記載の発明において、二つ折りにすることにより内側に位置する、前記第一の収容室の前記他側の壁の適宜箇所に、通気手段を設けたことを特徴とする。
請求項４に記載の発明は、請求項３に記載の発明において、前記通気手段を疎水性マイクロポーラスメンブレンにて構成したことを特徴とする。
請求項５に記載の発明は、請求項３に記載の発明において、前記通気手段を、二つ折りにされた前記第一の収容室の内部側に面するよう前記第一の収容室の前記他側の壁の前記適宜箇所に設けられた親水性マイクロポーラスメンブレンと、二つ折りにされた前記第一の収容室の外部側に面するよう前記第一の収容室の前記他側の壁の前記適宜箇所に設けられた疎水性マイクロポーラスメンブレンとによる二重のメンブレン構造として構成したことを特徴とする。
【０００６】
本発明においては、第一の収容室を構成している片側の壁を水分非透過性或いはガス非透過性のもの又は水分・ガス非透過性のものとして構成すると共に、第一の収容室を構成している他側の壁を水分透過性或いはガス透過性のもの又は水分・ガス透過性のものとして構成し、前記第一の収容室を前記片側の壁を外側にして二つ折りにし、その二つ折りにすることにより内側に位置する前記第一の収容室の他側の壁間に乾燥剤或いは脱酸素剤又は乾燥剤及び脱酸素剤を挟んで前記第一収容室の周縁部を互いに剥離可能に接合させることにより、前記第一の収容室の他側の壁間に乾燥剤或いは脱酸素剤又は乾燥剤及び脱酸素剤を封入するよう構成したので、本発明に依れば、簡単且つ安価に製造することの可能な複室容器が得られるようになる。
また、本発明に係る複室容器においては、従来の複室容器の如く乾燥剤等を収容した小袋を薬剤が収容された室に配置するのではなく、二つ折りにされた収容室の壁間に乾燥剤等を収容するよう構成したので、本発明に依れば、薬剤収容室の内部を汚すことなく製造することの可能な複室容器が得られるようになる。
更に、本発明に係る複室においては、二つ折りにして乾燥剤等が収容された収容室の周縁部を剥離可能に接合するよう構成したので、本発明に依れば、二つ折りにされた収容室の周縁部を剥離させることにより乾燥剤等を簡単に取り出して、容器と乾燥剤等を分別廃棄することができるようになる。
【０００７】
【発明の実施の形態】
以下、本発明に係る実施の形態を図面を用いて説明する。
図１は、第一の収容室を後述する如く二つ折りにする前の状態の、本発明の実施形態に係る複室容器の容器本体の一面側を示した図、図２は同容器本体の他面側を示した図、図３は、第一の収容室を二つ折りにして成る複室容器の縦断面図である。
この複室容器の容器本体１は、第一の可撓性シート材１ａと第二の可撓性シート材１ｂとを重ね合わせ、その周縁部を互いに剥離不能に溶着させると共に略中央部分を横方向に沿って互いに弱シールで剥離可能に溶着させて仕切部７を形成することにより、必要に応じて連通させることのできる第一の収容室３と第二の収容室５とを有する略扁平状のものとして構成されている。
【０００８】
図示実施形態においては、第一の収容室３内には、吸湿性及び（又は）易酸化性の粉末剤（図示せず）が収容され、第二の収容室５内には薬液（図示せず）が収容されている。第一の収容室３内に収容される粉末剤としては、例えば、抗生剤，抗癌剤，ステロイド剤，血栓溶解剤或いはビタミン剤等の吸湿性及び（又は）易酸化性の物質を挙げることができる。また、第二の収容室５内に収容される薬液としては、例えば、第一の収容室３内に収容される粉末剤の溶解液又は希釈液、例えば、生理食塩液，ブドウ糖液等を挙げることができる。
【０００９】
第二の収容室５寄りの容器本体１の端部には、ゴム栓体１１で閉塞されたポート部１３が設けられている。また、第一の収容室３寄りの容器本体１の端部には、患者に対する施薬時に容器をフック等に吊り下げるための吊り下げ用孔１５が形成されている。
【００１０】
吸湿性及び（又は）易酸化性の粉末剤を収容した第一の収容室３を、図１中に第一の収容室３の横方向に沿って示した一点鎖線に沿って、第一の可撓性シート１ａ側が外側に位置するようにして二つに折り畳み、図３に示したように、その二つに折り畳まれた第一の収容室３の壁間に乾燥剤及び（又は）脱酸素剤（以下、「乾燥剤等Ｘ」という。）を挟んで第一の収容室３の周縁部を互いに剥離可能に接合させることにより、第一の収容室３の壁間に乾燥剤等Ｘが取り出し自在に封入されている。二つ折りにした第一の収容室３の周縁部は、例えば、ホットメルト，接着剤或いは両面粘着テープ等又は溶着により剥離可能に接合させることができる。
【００１１】
尚、略扁平状の容器本体１の片側を構成している可撓性シート材１ａの内の、少なくとも、第一の収容室の片側壁を構成している部分１ａ’は、水分非透過性及び（又は）ガス非透過性のものとして構成されている。また、略扁平状の容器本体１の他側を構成している可撓性シート材１ｂの内の、少なくとも、第一の収容室３の他側壁を構成している部分１ｂ’は、水分透過性及び（又は）ガス透過性のものとして構成されている。このように、第一の収容室３を二つ折りにした時に外側に位置する、第一の収容室３の片側壁を構成しているシート材部分１ａ’を、水分非透過性及び（又は）ガス非透過性のものとして構成すれば、そのシート材部分１ａ’により第一の収容室３内への水分及び（又は）ガスの侵入を阻止して、第一の収容室３内に収容された薬剤を安定よく保存させることができるようになる。また、第一の収容室３を二つ折りにした時に内側に位置する、第一の収容室３の他側壁を構成しているシート材部分１ｂ’を、水分透過性及び（又は）ガス透過性のものとして構成すれば、第一の収容室３の他側壁間に封入された乾燥剤等Ｘによる乾燥作用，脱酸素作用をシート材部分１ｂ’を介して第一の収容室３内に収容された薬剤に対して波及させることができるようになる。
茲で、水分非透過性及びガス非透過性とは、水分，ガスを完璧に遮断する場合に限らず、水分，ガスをある程度遮断する場合をも含むものと解釈する。
【００１２】
尚、図１〜図３に示した実施形態においては、略扁平状の容器本体１の片側を構成している可撓性シート材１ａ全体を水分非透過性及び（又は）ガス非透過性の素材で構成すると共に、容器本体１の他側を構成している可撓性シート材１ｂ全体を水分透過性及び（又は）ガス透過性の素材で構成したが、吸湿性及び（又は）易酸化性の薬剤を収容した第一の収容室３を構成している両壁部が少なくとも上述した如く構成されていれば、如何なる構成のものであってもよい。例えば、第二の収容室５を、両壁を上述した如く構成した第一の収容室３と別体に形成し、仕切部７付近で第一の収容室３と第二の収容室５とを接合して容器本体１を構成してもよい。また、後述する如く、可撓性シート１ａ，１ｂを水分透過性及び（又は）ガス透過性の素材にて構成し、第一の収容室３を二つ折りにした時に外側に位置する、第一の収容室３の片側壁を構成しているシート材部分１ａ’を水分非透過性及び（又は）ガス非透過性のバリアフィルムで被覆することにより第一の収容室３の片側壁に水分非透過性及び（又は）ガス非透過性を持たせるよう構成してもよい。
【００１３】
水分非透過性及び（又は）ガス非透過性の素材としては、酸化ケイ素蒸着ポリエチレンテレフタラート（市販のものとしては、「シリカペット（商品名）」）のシートやアルミ加工シート等を用いることができるが、水分及び（又は）ガスが第一の収容室３の壁を透過して第一の収容室３内に侵入するのを極力阻止することが可能であれば、如何なる材質のものであってもよい。例えば、内層をポリエチレンとポリプロピレンとの混合樹脂にて構成し、外層をガス透過性，水分透過性の低い樹脂、例えば、ポリエチレンテレフタレート、ポリブチレンテレフタレート等のポリエステル系樹脂、ポリエチレンナフタレート、ポリビニルアルコール、エチレンビニルアルコール共重合体、ポリ塩化ビニリデン、ナイロン等のポリアミド、セロファン等の樹脂で構成した多層のものを用いることもできる。
【００１４】
尚、二つ折りにした第一の収容室３の壁面間に封入される乾燥剤としては、例えば、シリカゲル，ゼオライト，シリカゲル成形物，脱酸素剤一体物等を挙げることができる。また、脱酸素剤としては、三菱瓦斯化学社製のエージレス（商品名），アモルファス銅を用いた脱酸素剤等を挙げることができる。
【００１５】
このように構成した本発明に係る複室容器においては、易酸化性及び（又は）吸湿性の粉末剤が収容された第一の収容室３を二つ折りにし、二つ折りにした第一の収容室３の壁間に乾燥剤等Ｘを封入したので、乾燥剤等Ｘによる乾燥作用，脱酸素作用を第一の収容室３の水分透過性及び（又は）ガス透過性の壁を介して第一の収容室３内の粉末剤に対して波及させて、第一の収容室３内の粉末剤を安定よく保管収容することができる。また、二つ折りにした第一の収容室３の壁間に乾燥剤等Ｘを封入するよう構成したので、第一の収容室３の内部を汚すことなく乾燥剤等Ｘを容器本体１に備え付けることができる。
【００１６】
本発明に係る複室容器を患者に対する施薬の用に供する場合には、二つ折りにされた第一の収容室３の互いに剥離可能に接合された周縁部を剥離させて乾燥剤等Ｘを取り除いた後に、容器本体１を押圧して容器内の内圧を増加させて仕切部７を剥離させるか或いは仕切部７に相当するシート材１ａ，１ｂの部分を互いに剥離させる方向に引っ張って仕切部７を剥離させることにより、第一の収容室３と第二の収容室５とを連通させて、第一の収容室３内に収容された粉末剤と第二の収容室５内に収容された薬液とを容器本体１内で混合させる。粉末剤と薬液とを混合させた後に、栓体１１に輸液セットを接続することにより、その輸液セットを介して容器内の薬剤を患者に対して施薬することができる。
【００１７】
図４は第一の収容室を二つ折りにする前の状態の、本発明の別の実施形態に係る複室容器の容器本体の一面側を示した図、図５は同容器本体の他面側を示した図、図６は同容器本体の縦断面図である。
この実施形態は、第一及び第二のシート材１ａ，１ｂを水分透過性及び（又は）ガス透過性の素材にて構成し、二つ折りにした時に外側に位置する第一の収容室３の壁に相当するシート材１ａの部分１ａ’を水分非透過性及び（又は）ガス非透過性のバリアフィルム９で被覆した点を除いては、図１〜図３に示した実施形態と同様に構成されている。
【００１８】
バリアフィルム９は、上述した水分非透過性及び（又は）ガス非透過性の素材を用いて構成することができる。尚、バリアフィルム９をアルミ加工フィルムの如き不透明な素材にて構成した場合には、第一の収容室３内に収容した薬剤の検査時或いは患者に対する施薬時に、当該薬剤の状態を容器外から視認することができるようにするべく、バリアフィルム９を剥がすことができるよう容器本体１に接着するのが好ましい。また、バリアフィルム９を容器本体１より剥がし易くするために、摘み片９ａをバリアフィルム９に設けるとよい。更に、バリアフィルム９は第一の収容室３の壁全面に密着させてもよいし、また、その周縁部を第一の収容室３の周縁部に密着させてもよい。
【００１９】
バリアフィルム９が貼着された容器本体１は、図５中に第一の収容室３の横方向に沿って示した一点鎖線に沿って折り曲げることにより、第一の収容室３を図７及び図８に示したように二つ折りにし、その二つ折りにされた第一の収容室３の壁間に図８に示したように乾燥剤等Ｘを挟んで、二つ折りにした第一の収容室３の周縁部を互いに剥離可能に接合させることにより、乾燥剤等Ｘが取り出し自在に第一の収容室３の壁面間に封入されている。
【００２０】
図９は、図４〜図８に示した容器において、第一の収容室３を二つ折りにすることにより内側に位置する第一の収容室３の壁部の適宜箇所に通気手段１７を設けたものを示した縦断面図である。
このように通気手段１７を設けるよう構成すれば、二つ折りにした第一の収容室３の壁間に封入した乾燥剤等Ｘによる乾燥作用，脱酸素作用を第一の収容室３内に収容した粉末剤に対して通気性手段１７を介してより効果的に波及させることができるようになる。
【００２１】
通気手段１７としては、ガス及び水分を物理的に通過させることのできる多数の小孔を備えた疎水性マイクロポーラスメンブレン１９を用いることができる。マイクロポーラスメンブレン１９を設ける場合には、二つ折りにすることにより内側に位置する第一の収容室３の壁部の適宜箇所に孔３ａを形成し、その孔３ａを被覆するように第一の収容室３の壁部にマイクロポーラスメンブレン１９を装着するよう構成する。マイクロポーラスメンブレン１９としては、４ふっ化エチレン（ＰＴＦＥ、市販のものとしては、「テフロン（商品名）」）にて構成した多孔質膜，高密度ポリエチレン（市販のものとしては、「タイベック（商品名）」）にて構成した多孔質膜等を用いることができるが、第一の収容室３の壁部に液密に装着することができ且つ疎水性の性質をもたせたものであれば如何なる多孔質膜をも用いることができる。尚、ふっ化エチレンの多孔質膜を熱溶着により第一の収容室３の壁部に装着する場合には、４ふっ化エチレンが第一の収容室３を構成している樹脂壁に熱溶着しないので、高密度ポリエチレンのメッシュに４ふっ化エチレンの多孔質膜を積層させて、高密度ポリエチレンのメッシュを介して４ふっ化エチレンの多孔質膜を第一の収容室３の壁部に熱溶着させるとよい。
【００２２】
また、図１０に示したように、親水性のマイクロポーラスメンブレン１９ａと疎水性のマイクロポーラスメンブレン１９ｂとによる二重のメンブレン構造のものとして通気性手段１７を構成するようにしてもよい。この場合には、第一の収容室３の孔３ａを挟んで、第一の収容室３の内部側に親水性マイクロポーラスメンブレン１９ａが面し、第一の収容室３の外部側に疎水性マイクロポーラスメンブレン１９ｂが面するよう、親水性マイクロポーラスメンブレン１９ａと疎水性マイクロポーラスメンブレン１９ｂとを、二つ折りにすることにより内側に位置する第一の収容室３の壁部に装着するようにできる。
【００２３】
尚、特定の実施形態を用いて本発明を説明したが、本発明は、それに限らず、本発明の趣旨を逸脱しない範囲で適宜変更を加えたものを含むことは明らかである。例えば、通気手段１７を図４〜図８に示した容器に適用した場合について説明したが、それに限らず、図１〜３に示した容器に通気手段１７を適用してもよい。また、上述した実施形態においては、容器本体を二つの薬剤収容室を有するものとして構成したが、三つ以上の薬剤収容室を有するものとして構成してもよい。更に、上述した実施形態においては、第一の収容室３内に粉末剤を封入し、第二の収容室５内に液剤を封入したが、目的に応じて液剤を第一の収容室３内に封入し、粉末剤を第二の収容室５内に封入するようにしてもよい。尚、この場合には、二つ折りにした第一の収容室３の内側には脱酸素剤のみを封入する。更に、図示実施形態においては、二枚のシート材を重ね合わせて溶着することにより容器本体を形成したが、一枚のシート材で筒状に容器本体を形成したものを用いることもできる。
【００２４】
【発明の効果】
上述した如く、本発明においては、第一の収容室を構成している片側の壁を水分非透過性或いはガス非透過性のもの又は水分・ガス非透過性のものとして構成すると共に、第一の収容室を構成している他側の壁を水分透過性或いはガス透過性のもの又は水分・ガス透過性のものとして構成し、前記第一の収容室を前記片側の壁を外側にして二つ折りにし、その二つ折りにすることにより内側に位置する前記第一の収容室の前記他側の壁間に乾燥剤或いは脱酸素剤又は乾燥剤及び脱酸素剤を挟んで前記第一収容室の周縁部を互いに剥離可能に接合させることにより、前記第一の収容室の前記他側の壁間に乾燥剤或いは脱酸素剤又は乾燥剤及び脱酸素剤を封入するよう構成したので、本発明に依れば、簡単且つ安価に製造することの可能な複室容器が得られる。また、本発明に係る複室容器においては、従来の複室容器の如く乾燥剤等を収容した小袋を薬剤が収容された室に配置するのではなく、二つ折りにされた収容室の壁間に乾燥剤等を収容するよう構成したので、本発明に依れば、薬剤収容室の内部を汚すことなく製造することの可能な複室容器が得られる。更に、本発明に係る複室においては、二つ折りにして乾燥剤等が収容された収容室の周縁部を剥離可能に接合するよう構成したので、本発明に依れば、二つ折りにされた収容室の周縁部を剥離させることにより乾燥剤等を簡単に取り出して、容器と乾燥剤等を分別廃棄することができる複室容器が得られる。
【図面の簡単な説明】
【図１】第一の収容室を二つ折りにする前の状態の、本発明の実施形態に係る複室容器の容器本体の一面側を示した図である。
【図２】図１に示した容器本体の縦断面図である。
【図３】図１及び図２に示した容器本体の第一の収容室を二つ折りにして成る複室容器の縦断面図である。
【図４】第一の収容室を二つ折りにする前の状態の、本発明の別の実施形態に係る複室容器の容器本体の一面側を示した図である。
【図５】図４に示した容器本体の他面側を示した図である。
【図６】図４に示した容器本体の縦断面図である。
【図７】図４に示した容器本体の第一の収容室を二つ折りにして成る複室容器の一面側を示した図である。
【図８】図７に示した複室容器の縦断面図である。
【図９】図４〜図８に示した容器本体に通気手段を設けた複室容器の縦断面図である。
【図１０】図４〜図８に示した容器本体に別の通気手段を設けた複室容器の部分拡大断面図である。
【符号の説明】
１　　　　　　容器本体
１ａ，１ｂ　　シート材
１ａ’，１ｂ’　第一の収容室の壁を構成しているシート材部分
３　　　　　　第一の収容室
５　　　　　　第二の収容室
７　　　　　　剥離可能な仕切部
９　　　　　　バリアフィルム
１７　　　　　通気手段
Ｘ　　　　　　乾燥剤等
【図１】
2004016318.tif 000003
【図２】
2004016318.tif 000004
【図３】
2004016318.tif 000005
【図４】
2004016318.tif 000006
【図５】
2004016318.tif 000007
【図６】
2004016318.tif 000008
【図７】
2004016318.tif 000009
【図８】
2004016318.tif 000010
【図９】
2004016318.tif 000011
【図１０】
2004016318.tif 000012